(57)【要約】【課題】ステレオ印刷物は、レンズシートと原画像層を印刷したシートを熱圧着する場合でも、接着剤を使用する場合でも原画像が微細な部分を含むとレンズシートとの位置合わせが難しいという問題がある。一方、ホログラムには、従来とは異なる新規な視覚効果が求められている。【解決手段】一方の面がレンチキュラーレンズ１１、他方の面が金属反射膜４で被覆されたホログラム３であるステレオ印刷物。特に、一方の面がレンチキュラーレンズで、他方の面に前記レンチキュラーレンズの非集光領域（節）に同期して矩型状凸部がストライプ状に突出する凸レンズであるレンズシートの他方の面と、一方の面が金属反射膜で被覆されたレリーフホログラムであるホログラムシートの他方の面とが嵌合するように積層されたことを特徴とするステレオ印刷物である。【選択図】図３
2010105232.tif 000002
【特許請求の範囲】
【請求項１】
一方の面がレンチキュラーレンズ、他方の面が金属反射膜で被覆されたレリーフホログラムであることを特徴とするステレオ印刷物。
【請求項２】
一方の面がレンチキュラーレンズであるレンズシートの他方の面と、一方の面が金属反射膜で被覆されたレリーフホログラムであるホログラムシートの他方の面とを貼り合わせて積層したことを特徴とする請求項１に記載のステレオ印刷物。
【請求項３】
一方の面がレンチキュラーレンズで、他方の面の前記レンチキュラーレンズの非集光領域に対応する部位に、矩型状凸部がストライプ状に突出する凸レンズであるレンズシートの当該他方の面と、一方の面が金属反射膜で被覆されたレリーフホログラムであるホログラムシートの他方の面とが嵌合するように積層されたことを特徴とする請求項１に記載のステレオ印刷物。
【請求項４】
一方の面がフレネルレンズで、他方の面の前記フレネルレンズの非集光領域に対応する部位に、矩型状凸部が同心円状に突出する凸レンズであるレンズシートの当該他方の面と、一方の面が金属反射膜で被覆されたホログラムであるホログラムシートの他方の面とが嵌合するように積層されたことを特徴とする請求項１に記載のステレオ印刷物。
【請求項５】
矩型状凸部の表面を光反射層で被覆したことを特徴とする請求項３又は請求項４に記載のステレオ印刷物。  
【請求項６】
前記レンズシートとホログラムシートの接合部にＯＶＤ層、ＯＶＩ層あるいはステレオ絵柄層を備えることを特徴とする請求項２から請求項５のいずれか一項に記載のステレオ印刷物。  
【請求項７】
前記レンチキュラーレンズのレンズのピッチは、０．３ｍｍ以下であることを特徴とする請求項１から請求項６のいずれか一項に記載のステレオ印刷物。
【請求項８】
少なくとも、一方の面にレンチキュラーレンズ、他方の面に矩型状凸部がストライプ状又は同心円状に突出する凸レンズを備えるレンズシートを形成する工程と、前記レンズシートの凸レンズ側に加熱溶融性樹脂を塗布しプレスすることでレリーフホログラムを形成する工程と、前記レリーフホログラム上に金属反射膜を形成する工程と、を含むことを特徴とするステレオ印刷物の製造方法。
【発明の詳細な説明】
【技術分野】
【０００１】
本発明は、ホログラムにレンチキュラーレンズを組み合わせたステレオ印刷物に関する。
【背景技術】
【０００２】
ステレオ印刷物は、微細なレンチキュラーレンズ（シリンドリカルレンズ）やフレネルレンズあるいはプリズムレンズ等の光学素子をプラスチックフィルム上に形成したレンズシートと、ステレオ画像表示用の原画像を印刷した紙を接着剤を介して積層して製造する（例えば、特許文献１参照）。
【０００３】
このステレオ印刷物は、レンズの形状とその配置及びステレオ原画像の設計により、見る方向により異なる画像が視認されたりあるいは浮き上がって立体的に見えるなど、通常の印刷物と異なる表現力、印象、視覚効果を与えるものでアイキャッチ効果が高く、ＰＯＰ用途、アミュズメント施設の床面広告、雑誌の付録、キャラクター商品等多方面で使用されている。
【０００４】
一方、特異な視覚効果を呈するホログラムは、製造に一定の技術が必要でセキュリティー性が高いことから、紙幣、金券、カード、商品券、証明書等に貼付して使用され、また意匠性も備えているので遊具用のカード類に貼付する等、こちらも多方面で使用されている。特にレリーフ型ホログラムは、フィルム表面に光学的な干渉縞を微細な凹凸として記録し、該凹凸表面に光反射層又は高屈折率透明層を設けたもので、見る角度により色が虹様に変化するなど特異な視覚効果を有し、３次元立体感もリアルに表現できるという特長がある（例えば、特許文献２、３参照）。
【０００５】
レリーフホログラムは、光学的な撮影方法により得られる微細な凹凸パターンからなるレリーフ型のマスターホログラムを作製し、これから電気めっき法により凹凸パターンを転写したニッケル製のプレス版を作製し、このプレス版を用いてスタンプ方式でフィルムシートに凹凸を複製するという周知の方法で製造する（構成については図１を参照）。ホログラムシート裏面の反射層の上に、感圧接着剤層、離型紙を順次積層し、所定の形状に打ち抜くなどにより生産性と実用性を高め、ステッカー等として手軽に使用されるようになっている。その結果、模倣がはびこり、装飾効果や意外性も徐々に薄らいできているという問題もある。
【特許文献１】特開２００３−１９１６６６号公報
【特許文献２】特開平８−１７９６７９号公報
【特許文献３】特開２００１−２３２９９３号公報
【発明の開示】
【発明が解決しようとする課題】
【０００６】
従来のステレオ印刷物は、レンズシートと原画像を印刷した紙を感熱接着剤を用いて加熱して製造するが、その場合レンズシートが熱で伸びる結果、原画像とレンズの位置合わせにずれが発生し表示品質、特に立体表現の品質が劣化するという問題がある。熱が不要な感圧接着剤を使用する場合でも、該接着剤がベトツクなどのことで原画像が微細な部分を含むと、レンズシートとの位置合わせが難しく作業効率が著しく低下するという問題がある。  
【０００７】
一方、レリーフホログラムは、ありふれたものとなり、模倣も容易となった結果、出所を表示するセキュリティー媒体としての偽造防止効果も無きに等しい状況である。したがって、ホログラムには、従来とは異なる新規な表現力と視覚効果が求められているが、レリーフホログラム自体は完成された技術であって、新規な視覚効果は望めないとう問題がある。
【０００８】
そこで本発明は、位置合わせがほとんど不要か容易であって、新規な視覚効果を有するステレオ印刷物を提供することを課題とした。
【課題を解決するための手段】
【０００９】
上記の目的を達成するために、本発明の請求項１に記載の発明は、一方の面がレンチキュラーレンズ、他方の面が金属反射膜で被覆されたレリーフホログラムであることを特徴とするステレオ印刷物としたものである。
【００１０】
かかる構成は、レンチキュラーレンズを介して視覚される原画像を印刷物からホログラムに転換するものであって、レンチキュラーレンズとホログラムを同一材料で一体として構成するものである（図２参照；破線のない場合である）。
【００１１】
本発明の請求項２に記載の発明は、一方の面がレンチキュラーレンズであるレンズシートの他方の面と、一方の面が金属反射膜で被覆されたレリーフホログラムであるホログラムシートの他方の面とを貼り合わせて積層したことを特徴とする請求項１に記載のステレオ印刷物としたものである。
【００１２】
かかる構成も、レンチキュラーレンズを介して視覚される原画像を印刷物からホログラムに転換するものであるが、レンズ部分とホログラム部分を構造的に分離することで接合面に加工の余地を与えるものである（図２参照；破線のある場合である）。  
【００１３】
本発明の請求項３に記載の発明は、一方の面がレンチキュラーレンズで、他方の面の前記レンチキュラーレンズの非集光領域に対応する部位に、矩型状凸部がストライプ状に突出する凸レンズであるレンズシートの当該他方の面と、一方の面が金属反射膜で被覆されたレリーフホログラムであるホログラムシートの他方の面とが嵌合するように積層されたことを特徴とする請求項１に記載のステレオ印刷物としたものである。
【００１４】
本発明の請求項４に記載の発明は、一方の面がフレネルレンズで、他方の面の前記フレネルレンズの非集光領域に対応する部位に、矩型状凸部が同心円状に突出する凸レンズであるレンズシートの当該他方の面と、一方の面が金属反射膜で被覆されたホログラムであるホログラムシートの他方の面とが嵌合するように積層されたことを特徴とする請求項１に記載のステレオ印刷物としたものである。
【００１５】
かかる構成であると、凸レンズの各開口部が、スリットのような働きをすることによって、散乱角度が絞られた光のみがレンチキュラーレンズを構成する各々の単位レンズに入射することになる。その結果、単位レンズに斜めから入射する光が減るので、視聴者の視覚方向に進むことなく横方向に無駄に出射されてしまう光を低減することができる。
【００１６】
本発明の請求項５に記載の発明は、矩型状凸部の表面を光反射層で被覆したことを特徴とする請求項３又は請求項４に記載のステレオ印刷物としたものである。  
【００１７】
かかる構成であると、凸レンズの各開口部を通ることができなかった光は、光反射層（反射膜）で反射され、視覚方向に戻されるため、明るく、光学変化の大きい画像をみることが可能となる。
【００１８】
本発明の請求項６に記載の発明は、前記レンズシートとホログラムシートの接合部にＯＶＤ（Optical  Variable  Device）層、ＯＶＩ（Optical  Variable  Ink）層あるいはステレオ絵柄層を備えることを特徴とする請求項２から請求項５のいずれか一項に記載のステレオ印刷物としたものである。  
【００１９】
かかる構成とすることで、画像表現が多様になり意匠性のある特異な視覚効果が得られる（図４参照）。また製造が難しくなる結果、模倣を抑止できる。ここで、ＯＶＤとは回折格子や多層薄膜など光の干渉効果を利用した見る角度により色の変化を生じる光学素子である。ＯＶＩは同様の効果を呈するが、可視波長程度の微粒子を分散した薄膜媒体である。
【００２０】
本発明の請求項７に記載の発明は、  前記レンチキュラーレンズのレンズのピッチは、０．３ｍｍ以下であることを特徴とする請求項１から請求項６のいずれか一項に記載のステレオ印刷物としたものである。
【００２１】
かかる構成は解像度を向上させるためのもので、微細な表現が可能となる。
【００２２】
本発明の請求項８に記載の発明は、少なくとも、一方の面にレンチキュラーレンズ、他方の面に矩型状凸部がストライプ状又は同心円状に突出する凸レンズを備えるレンズシートを形成する工程と、前記レンズシートの凸レンズ側に加熱溶融性樹脂を塗布しプレスすることでレリーフホログラムを形成する工程と、前記レリーフホログラム上に金属反射膜を形成する工程と、を含むことを特徴とするステレオ印刷物の製造方法としたものである。
【発明の効果】
【００２３】
先ず、金型を使用して両面同時にプレス加工することでステレオ印刷物を得る場合、位置合わせの精度は上下の金型プレス装置の機械的な位置合わせ精度で決まる。これはレンズシートと原画像が印刷されたシートを位置合わせするより精度が高く、バラツキが少ない。したがって、シャープで細かな部分まで表現可能なステレオ印刷物を安定して製造することができる。
また、立体感のあるレリーフホログラム像をレンチキュラーレンズ、フレネルレンズを介して見るという従来にない構成なので、新規で特異な視覚効果を得ることができる。
ホログラムシートにレンズシートを重ねる場合又は一方に積層して形成していく場合は、位置合わせ操作が不要か、ストライプ状もしくは同心円状の凸部を位置合わせ用マークとするので位置合わせが極めて容易となる。
ホログラム層からの反射する光源の光を、無駄に出射される分を増やすことなく、均一化して、かつ拡散範囲を制御して出射させることが可能になるため、明るくコントラストの高い視覚効果のあるホログラム像を得ることができる。
さらに、中間に別のＯＶＤ層、ＯＶＣ層あるいはステレオ絵柄層を導入することで、模倣が困難になり偽造防止効果及び視覚効果、装飾効果、意匠性が高いステレオ印刷物となる。
【発明を実施するための最良の形態】
【００２４】
本発明は、図２に示すように、レリーフホログラム特有の画像３をレンチキュラーレンズ１１を通すことで、ホログラム像３をステレオ可視化するものである。ステレオ可視化は、レンズ設計とホログラム原画像の設計を組み合わせることで、視角により動く画像としたり、様々な立体的な可視化が可能である。
さらに、本発明は、凸レンズ１２（図３）をレンチキュラーレンズとレリーフホログラムの間に設け、凸レンズの開口部にOVD層１３を挿入することで、従来は困難であった絵柄層の位置合わせが不要になるだけでなく、その精度も飛躍的に向上する。またレンチキュラーレンズのピッチを小さくしても凸レンズを設けることで、より細かい画像を入れることができ、偽造防止効果を高めることも可能となる。
以下、本発明になるステレオ印刷物の製造方法を説明するとともに本発明の概要を説明する。
【実施例１】
【００２５】
先ず、周期的なレンズパターン及び該パターンよりも微細な凹凸を有するレリーフホログラムパターンを加熱溶融性樹脂にプレスする際に使用する金型（スタンパー）の製造方法について説明する。
【００２６】
ホログラム原画像が感光度の差として記録された感光性レジストを現像することで、該感光性レジスト上にホログラム原画像を凹凸パターンとして形成する。次に、凹凸の記録されたレジストパターン上に、無電界めっき法を用いてニッケルシード層を形成する。次に、このニッケルシード層を陰極として定法の電解めっき法によりニッケルめっき層を形成する。レジスト層を剥離することで所望のレリーフパターンのネガパターンを有するニッケルめっき皮膜を得て、これを別の金属製常盤に貼り付けてプレス用の金型とした。
【００２７】
次に、パターンの粗いレンチキュラーレンズパターンを形成するために、鉄芯に銅めっきを行い、この銅めっき層にダイヤモンドバイトで切削加工して所定の形状を有する金型を作製し、金型成型面に定法の電解めっき法によりニッケルめっきを施して耐摩耗性の向上した金型を得ることができる。レンズパターンは、レンズのサイズよっては、エッチング法を使用して形成することもできる。フレネルレンズ、プリズム型のレンズについても同様の手順でプレス用金型を製造することができる。
【００２８】
次に、透明な加熱溶融性のポリプロピレン樹脂を溶融状態のままダイコータから常盤上に固定したホログラム用金型に１２〜２０μｍ程度の所定の厚みで塗布し、位置合わせした上で、上方からレンチキュラーレンズ用金型を押し当てた。その状態で冷却して上下の金型からフィルム化したポリプロピレン樹脂を引き剥がすことで、一方の面にレンチキュラーレンズ１１、他方の面にレリーフホログラム３が形成されたフィルム状のポリプロピレンシートを得ることができた。
【００２９】
次に、上記シートのレリーフホログラム面に、真空蒸着法によりアルミニウムの反射層４を形成した。これにより図２（破線のない場合）で示すステレオ印刷物を得ることができる。反射層４としては、金、銀、錫等の金属等の薄膜も適宜使用することができる。金属反射膜の膜厚は５００〜２０００Åの範囲で設定する。更に、金属反射層の上にオーバーコート層（図示せず）を設けても構わない。
【００３０】
加熱溶融性樹脂材料としては、ポリプロピレン樹脂以外に、ポリエチレン、ポリエチレンテレフタレート、ポリスチレン、ポリカーボネート等の熱可塑性の樹脂を使用することができる。
【実施例２】
【００３１】
請求項２については、例えば、厚み１２〜３０μｍ程度のポリエチレンテレフタレートフィルムの片面に、厚さ０．５μｍ程度の接着性の樹脂層を形成し、更にその上にポリプロピレン等の加熱溶融樹脂をダイコート法により塗布し、１２〜２０μｍの厚みのホログラム形成のための樹脂層を設ける。
【００３２】
次に、実施例１のホログラム用金型に押し当てて、熱溶融状態のホログラム形成層をプレスして、冷却することでレリーフホログラム２’を形成する。同様にして、レンチキュラーレンズシート１１を製造して位置合わせした上で接着性の樹脂層（図示せず）により、ホログラムシートとレンチキュラーシートを貼り合わせて、図２の破線部がある場合のステレオ印刷物のシートを得ることができた。金属反射層は実施例１と同様の手順で形成する。
【００３３】
接着性の樹脂材料としては、ポリ酢酸ビニルーエチレン共重合体系接着樹脂又はアクリル系接着樹脂を使用するのが望ましい態様であった。
【実施例３】
【００３４】
最初に、鉄芯に銅めっきを行い、この銅めっき層にダイヤモンドバイトで切削加工することでレンチキュラーレンズと同じピッチの矩型状凸部がストライプ状に並んだ金型を製造した。
【００３５】
次に、実施例１で製造したレンチキュラーレンズ用金型と矩型状ストライプパターン形成用金型を位置合わせして対抗させ、溶融ポリプロピレンを下側の金型上に塗布した後、上から金型でプレスし、その後冷却することで一方の面に矩型状ストライプパターンを、他方の面にレンチキュラーレンズパターンを有するレンズシート１１（図３）を形成した。レンチキュラーレンズの非集光部分（隣接するシリンドリカルレンズの交差部分）に対応する部位に、凸部がストライプ状に突出した凸レンズ１２を精度よく敷設することができた。
【００３６】
次に、レンズシートの凸レンズ１２がストライプ状に並ぶ側に、ポリプロピレンより加熱溶融温度の低い溶融したポリエチレン樹脂を塗布し、ホログラムパターン用金型を位置合わせした上でプレスすることで、レンチキュラーレンズ１１とホログラムシート２が嵌合したシートを得た。レリーフホログラム上にアルミニウム反射層４を形成すると、図３で示すステレオ印刷物を得ることができた。
【実施例４】
【００３７】
ＯＶＤは、回折格子あるいは屈折率の異なるセラミックス材料や金属の薄膜を積層したもので、見る角度により色の変化を生じるものの総称であり、レリーフホログラム、体積型ホログラムをも含んでいる。ＯＶＩはシリカやチタンの微粒子を分散した薄膜であって同様の効果を呈するものの総称である。
ＯＶＤ、ＯＶＩあるいはステレオ絵柄層のいずれかの層を、レンズシート１１とホログラムシート２の間の所望の位置１３に形成してレンチキュラーレンズを介して見るものである。特に、これらの層はレンズシートの凸レンズがストライプ状に並ぶ側の、面積の広い凹部１３に形成するのが望ましい。
回折格子を形成については、凸部パターン形成用金型の上記凹部の適切な位置に、より微細なストライプ状の凹凸を形成すると、実施例３で記載したように、レリーフホログラムを形成すると同時に回折格子を配置することができる。
多層薄膜については、マスク蒸着法又はスパッター法により所望の位置に、屈折率の異なるＴｉＯ２、ＺｎＯ，ＳｉＯ２、ＳｉＯ２，等を積層して形成する。これにより図４で示す構成のステレオ印刷物を得ることができた。
尚、凸部１２に対する反射膜１４の形成については、マスク蒸着法あるいはフォトリソ法等周知の手段で形成できる。
【図面の簡単な説明】
【００３８】
【図１】従来のレリーフホログラムの構成を示す断面視の図である。
【図２】一方の面にレリーフホログラム、他方の面にレンチキュラーレンズを有するステレオ印刷物の概念を説明する断面視の図である。尚、図中破線は２層構成の場合を示す。
【図３】本発明になる、レリーフホログラムとレンチキュラーレンズが中間で凹凸に嵌合するステレオ印刷物の構成を説明する断面視の図である。
【図４】図３の構成に加え更にＯＶＤ層を敷設したステレオ印刷物の構成を説明する断面視の図である。
【符号の説明】
【００３９】
１・・・フィルム基材  
２・・・レリーフホログラム層あるいはホログラムシート
２’・・・積層する場合のレリーフホログラム層
３・・・微細な凹凸 
４・・・金属反射層 
１１・・・レンチキュラーレンズあるいはレンズシート  
１２・・・ストライプ状に並ぶ凸レンズ  
１３・・・ＯＶＤ、ＯＶＩもしくはステレオ絵柄層又はこれらが敷設される位置 
１４・・・金属反射層 
【図１】
2010105232.tif 000003
【図２】
2010105232.tif 000004
【図３】
2010105232.tif 000005
【図４】
2010105232.tif 000006